(57)【特許請求の範囲】
【請求項１】
機能の異なる複数のパネル体を前後方向に重複配置して組み立てるようにした遊技機において、
前記複数のパネル体の内、遊技者と対面する最前部のパネル体をベースプレートと、同ベースプレートの前面に配置されて同ベースプレートを覆う複数のカバーパネルとから構成し、前記複数のカバーパネルから選択された少なくとも２つ以上のカバーパネルの裏面にそれぞれ超磁歪材料又は圧電セラミックを振動子とした振動子ユニットを装着し、
ある１つの前記カバーパネルを他の１つの前記カバーパネルよりも上方位置に配置させるとともに、ある１つの前記カバーパネルの材質を他の１つの前記カバーパネルよりも硬度を高くし、かつある１つの前記カバーパネルと他の１つの前記カバーパネルをそれぞれ均一の厚みに構成し、ある１つの前記カバーパネルを他の１つの前記カバーパネルよりも厚く構成することで、ある１つの前記カバーパネル側から相対的に高音域の音を再生させ、他の１つの前記カバーパネル側から相対的に低音域の音を再生させるようにするとともに、ある１つの前記カバーパネルを当該遊技機を遊技する遊技者の顔の辺りに配置するようにしたことを特徴とする遊技機。
【発明の詳細な説明】
【技術分野】
【０００１】
本発明は、遊技の興趣を盛り立てるために遊技内容に応じた効果音を発生させるためのスピーカ装置を併設した遊技機に関するものである。
【背景技術】
【０００２】
従来から例えばパチンコ遊技機、パチロットあるいはスロットマシンのような遊技機では遊技盤の遊技面上に液晶ディスプレイ等の画像表示装置を備えており、遊技の状況に応じて液晶ディスプレイ上で画像の変動等の視覚的な様々な演出をして遊技の興趣を高めるようにしている。そして、この画像変動に伴ってスピーカ装置から場面に応じた音や声等の効果音を再生し遊技に更なる臨場感を与えるようにしている。
従来のスピーカ装置は紙等の薄手の材料からなるコーンを使用したコーン型スピーカユニットを音声発生部としており、遊技者に対面した最前部のパネル体、例えばパチンコ遊技機では扉枠にこのスピーカユニットは配設されている。しかし、従来のスピーカ装置はコーンを振動させるだけであり、またスピーカユニットはスペース的な制限からそれほど大きなものを配設することもできないため、遊技機の音源としては必ずしも十分ではなかった。
そのため、特許文献１のように従来のコーン型スピーカユニットを使用したスピーカ装置に代わって超磁歪材料や圧電セラミックのような振動素子を使用した他者振動型のスピーカ装置が新たに提供されている。超磁歪材料を使用した音響デバイスとしては例えばエキサイタが挙げられる。エキサイタは磁界の発生によって外形が大きく変化する性質を有する超磁歪材料のコイルを巻回した構造を有し、エキサイタを装着した物体を自身とともに振動させることによってその物体自体から音声を再生することができる音響デバイスである。特許文献１はエキサイタをウィンドユニットの透明板に装着し、透明板自体を振動させることでスペース的な制限があるこの種の遊技機のスピーカの性能を向上させるというものである。
【先行技術文献】
【特許文献】
【０００３】
【特許文献１】特開２００６−２０４７３４号公報
【発明の概要】
【発明が解決しようとする課題】
【０００４】
ところで、このような他者振動型のスピーカ装置ではエキサイタのような振動子ユニットを装着してその物体自体を振動させるのであるから、どのような物（以下、振動子ユニットが装着される物体を「振動媒体」とする）に装着するかは音質に大きな影響があるのは当然である。甚だしい場合では例えばスポンジのような柔らかい物体を振動媒体としてエキサイタを装着したとしても振動がスポンジに吸収されてしまい十分な音圧レベル及び音質の音が得られないこととなる。一方、非常に硬度が高い振動媒体であれば高周波の音を再現性よく再生させることが可能である。つまり、これは音源によって振動子ユニットが装着される振動媒体の質量、材質、形状等を適宜変更すれば最適な音響効果を得られるということであるが、従来ではそのような点に着目した他者振動型のスピーカ装置はなかった。
また、従来のスピーカ装置では遊技者に目視させないように遊技機の内部に見えないように配置し、遊技機のパネルにその音を前面に放出させる音声通路を設けるような構成を採用していた。しかし、このように遊技者から離間した位置にスピーカ装置がある場合では途中で音圧レベルが減衰してしまうため、やはり遊技機の音源としては必ずしも十分ではなかった。
本発明は、このような従来の技術に存在する問題点に着目してなされたものである。その目的とするところは、振動素子を使用した他者振動型のスピーカ装置を備えた遊技機において振動子ユニットを装着する振動媒体を複数種類を用意して最適な音響効果を得ることを可能とした遊技機を提供するものである。
【課題を解決するための手段】
【０００５】
上記の目的を達成するために請求項１の発明では、機能の異なる複数のパネル体を前後方向に重複配置して組み立てるようにした遊技機において、前記複数のパネル体の内、遊技者と対面する最前部のパネル体をベースプレートと同ベースプレートの前面に配置されて同ベースプレートを覆う複数のカバーパネルから構成し、前記複数のカバーパネルから選択された少なくとも２つ以上のカバーパネルの裏面にそれぞれ超磁歪材料又は圧電セラミックを振動子とした振動子ユニットを装着し、ある１つの前記カバーパネルを他の１つの前記カバーパネルよりも上方位置に配置させるとともに、ある１つの前記カバーパネルの材質を他の１つの前記カバーパネルよりも硬度を高くし、かつある１つの前記カバーパネルと他の１つの前記カバーパネルをそれぞれ均一の厚みに構成し、ある１つの前記カバーパネルを他の１つの前記カバーパネルよりも厚く構成することで、ある１つの前記カバーパネル側から相対的に高音域の音を再生させ、他の１つの前記カバーパネル側から相対的に低音域の音を再生させるようにするとともに、ある１つの前記カバーパネルを当該遊技機を遊技する遊技者の顔の辺りに配置するようにしたことをその要旨とする。
【０００６】
上記のような構成では、遊技者と対面する最前部のパネル体をベースプレートとベースプレートの前面に配置されて同ベースプレートを覆う複数のカバーパネルから構成し、その複数のカバーパネルに超磁歪材料又は圧電セラミックを振動子とした振動子ユニットを装着したため、カバーパネル毎に音圧レベルや音質が異なるように振動を起こさせることができ、遊技者に最も近い位置でカバーパネル毎に固有の効果音を再生することが可能となる。更に、上方位置の遊技者の顔の辺りに配置したカバーパネルは周波数の高い高音を再生するのに好適となるため、音源として比較的高い効果音を上方位置から再生させ、相対的に低い効果音をそれよりも下方位置から再生させることが可能となる。
ここに、振動子ユニットとは振動子として超磁歪材料又は圧電セラミックを使用し、これらにその他の電気部品を組み合わせて音声電流に基づいて振動子を振動させるようにしたアッセンブリーであって、振動子ユニット及び振動子ユニットが装着される振動媒体（被振動体）をもってスピーカ装置が構成される。
すべてのカバーパネルに別個に振動子ユニットを装着してもよく、装着しないカバーパネルがあっても構わない。「異なる材質」とは振動媒体の硬度や比重等の固有の物理的性質が異なるということである。
【発明の効果】
【０００７】
上記請求項に記載された発明では、ベースプレート前面を覆う複数のカバーパネルから選択された少なくとも２つ以上のカバーパネルの裏面にそれぞれ超磁歪材料又は圧電セラミックを振動子とした振動子ユニットを装着し、ある１つのカバーパネルを他の１つのカバーパネルよりも上方位置であって遊技者の顔の辺りに配置するとともに、ある１つのカバーパネルを他の１つのカバーパネルよりも硬度を高くし、かつある１つのカバーパネルと他の１つのカバーパネルをそれぞれ均一の厚みに構成し、ある１つのカバーパネルを他の１つのカバーパネルよりも厚く構成することで、ある１つのカバーパネル側から相対的に高音域の音を再生させ、他の１つのカバーパネル側から相対的に低音域の音を再生させるようにしたため、指向性のある音を遊技者の顔の辺りで再生させることが可能となる。
【図面の簡単な説明】
【０００８】
【図１】本発明を応用した実施の形態のパチンコ遊技機の正面図。
【図２】同じパチンコ遊技機の分解斜視図。
【図３】同じパチンコ遊技機の扉枠を取り去った状態の正面図。
【図４】同じパチンコ遊技機の扉枠のベースプレートの背面図。
【図５】同じパチンコ遊技機の扉枠の扉枠の側分解図。
【図６】扉枠の前面の化粧パネルを分解して説明する説明図。
【図７】扉枠の前面の化粧パネルのうち上下受け皿パネルユニットのみを実線で示した背面図。
【図８】上下受け皿パネルユニットの分解斜視図。
【図９】化粧パネルの斜視図。
【図１０】ガラスユニットの斜視図。
【図１１】同じパチンコ遊技機の扉枠の各化粧パネルをその外郭線で境界を分かりやすく説明した説明図。
【発明を実施するための形態】
【０００９】
以下、本発明の各実施の形態について図面に基づいて説明する。
図１〜図３に示すように、パチンコ遊技機の分類上いわゆる第１種に区分されるパチンコ遊技機１１は支持枠体かつパネル体としての外枠１２を備えている。外枠１２は、遊技ホールへの設置の際にいわゆる島設備に取り付けられる。外枠１２は上下左右の各枠板１２ａ〜１２ｄによって四角形に枠組みされた木製の枠体とされている。下部枠板１２ｄ上面には幕板１３が配設されている。本実施例では図１１に示すように幕板１３をカバーパネルの一種と考えてエキサイタを使用したスピーカ装置の一部をなす振動子ユニット９９が裏面に配設されている。振動子ユニット９９については後述する。
外枠１２内には遊技機本体１４が装着されている。後方パネル体としての遊技機本体１４はパチンコ遊技機の構造的な中核を形成する正面視において長方形形状をなすパネル状の構成部材であって、外枠１２内において幕板１３上に配置されている。図１〜図３に示すように、遊技機本体１４は正面視において略長方形の外郭を備えたＡＢＳ製のパネルとされている。遊技機本体１４は正面から見て左方寄りにおいて上下に配設された開閉金具１５ａを有し、外枠１２側の開閉金具１５ｂに軸支されて開閉軸線Ｐ（図２参照）を軸心として前方側に開放可能とされている。図２に示すように、遊技機本体１４は開閉軸線Ｐ側とは逆側の側縁に上下方向に間隔を開けて２箇所にラッチ機構Ｌ１が配設されている。ラッチ機構Ｌ１は遊技機本体１４が外枠１２に対して閉塞された際に外枠１２側の図示しない挿入溝に挿入されて係合しロック状態とされる。
【００１０】
図３に示すように、遊技機本体１４の下部領域には遊技機本体側機構部１６が形成されている。遊技機本体側機構部１６を正面から見て右方には遊技球発射機構としての遊技球発射ユニット１７が配設されている。遊技球発射ユニット１７はソレノイド等から構成された発射部１８と、発射部１８にパチンコ球を順に供給する送球部１９及び補助レール２０から構成されている。遊技機本体側機構部１６の正面から見て左方には上部パチンコ球流入路２１と下部パチンコ球流入路２２がそれぞれ配設されている。両パチンコ球流入路２１，２２間にはバイパス通路２３が形成されている。下部パチンコ球流入路２２の上方にはファール球通路２４が形成されている。バイパス通路２３及びファール球通路２４はユニット化されている。
本体枠側機構部１６の背面側にはすべての遊技球を回収して一旦機外に放出させるための遊技球回収通路２６が形成されている（図２参照）。
【００１１】
図２に示すように、本体枠側機構部１６の上方には遊技盤取り付けスペース２５が形成され、遊技盤２７が同スペース２５内に配設されている。同スペース２５は遊技盤２７が載置される棚部２８（図２参照）と、略楕円形状に切り欠き形成された窓孔２９を有している。窓孔２９の周囲は棚部２８に載置された遊技盤２７の前面周縁が当接する前板部３０とされている。図２に示すように、木製の遊技盤２７の外郭は略正方形形状とされ、棚部２８に載置された状態で図示しない係止手段によって前板部３０に対して圧着固定される。図２に示すように、遊技盤２７は同スペース２５に配設された状態で前面に形成された遊技面２７ａが窓孔２９から前方に露出される。窓孔２９を包囲する壁面３１の一部は後述する遊技領域の一部を画定する。
【００１２】
遊技体の一部をなす遊技盤２７には遊技面２７ａから裏面に貫通する大小複数の開口部が形成され、各開口部にはそれぞれ目的に応じた各種装飾パネルが併設されている。遊技盤２７の略中央には可変表示ユニット３５が配設されている。可変表示ユニット３５は大型の液晶ディスプレイ３６を備えている。図２に示すように可変表示ユニット３５は遊技盤２７背面に配置される表示制御装置３７を備えている。表示制御装置３７の下方には主制御装置及び音声ランプ制御装置３４が配設されている。可変表示ユニット３５の直下には始動口３８が配置されており、さらにその下方にいわゆる大入賞口と呼称される可変入賞装置３９が配置されている。可変表示ユニット３５の左右両側にスルーゲート４０が配置され、始動口３８の左右両側方向には一般入賞口４１がそれぞれ複数配置されている。遊技盤２７の最下部位置にはアウト口４２が設けられており、各種入賞口等に入らなかった遊技球はアウト口４２を通って図示しない球排出路の方へと案内されるようになっている。遊技盤２７の表面には、遊技球の落下方向を適宜分散、調整等するために多数の遊技釘が植設されている。また、風車４３等の各種部材（役物）が配設されている。
【００１３】
遊技盤２７の遊技面２７ａ上には、外レール５１とレール部材としての内レール５２が装着されている。遊技盤２７が遊技機本体１４の遊技盤取り付けスペース２５に配設された状態で両レール５１，５２及び前記遊技機本体１４側の窓孔２９を包囲する壁面３１の一部によって遊技面２７ａに遊技領域が画定されている。
図３に示すように、外レール５１は前記パチンコ球発射ユニット１７の補助レール２０の正面から見て左斜め上方であって、同補助レール２０の延長方向にファール球通路２４上方の空間を隔てた位置にその基端が配置されている。外レール５１は基端から時計回り方向に円弧状に上方に延出され遊技面２７ａの頂点から若干進んだ位置（遊技面２７ａを時計のダイヤルと見立てた場合の略２時方向位置）にその先端が配置されている。
【００１４】
内レール５２は遊技面２７ａを時計のダイヤルと見立てた場合の略４時方向に基端が配置されている。内レール５２は基端から時計回り方向に円弧状に下方に延出され、前記アウト口４２前面を略水平に横切った後、外レール５１の内周側を上方に向かって延出され、遊技面２７ａの頂点の手前位置（遊技面２７ａを時計のダイヤルと見立てた場合の略１０時方向位置）にその先端が配置されている。内レール５２の先端には遊技面２７ａに打ち出されたパチンコ球の逆進を防止するための片持ちの舌片が形成された逆進防止部材５５が装着されている。円弧状の内レール５２の最下方位置はアウト口４２と交差する位置とされている。両レール５１，５２は正面から見てアウト口４２の左方位置から逆進防止部材５５位置（つまり内レール５２の先端）にかけて隣接して配置されパチンコ球発射通路４９が形成されている。
外レール５１及び内レール５２は帯状の同幅に形成されたステンレス製薄板条体から構成されている。両レール５１，５２は遊技面２７ａに対して前方に向かって略垂直に立設されている。
【００１５】
遊技球（パチンコ球）はパチンコ球発射ユニット１７によって打ち出されると補助レール２０を滑走した後、外レール５１に乗り移り外レール５１を更に滑走しながら外レール５１と内レール５２との間のパチンコ球発射通路４９を上方に向かって進み遊技面２７ａに飛び出す。この時、パチンコ球発射ユニット１７による打ち出し力が弱く補助レール２０から外レール５１に乗り移ることができなかったり、外レール５１に乗り移っても遊技領域まで至らなかったパチンコ球は落下してファール球通路２４に導かれる。
遊技領域に放出された遊技球は落下しながら遊技釘、装飾パネルあるいは各種役物等と干渉して弾かれながら降下し、途中始動口３８、可変入賞装置３９及び一般入賞口４１に入賞する球以外はすべて内レール５２上に落下し、同内レール５２を伝わって最下部位置のアウト口４２に導かれる。入賞した入賞球、アウト口４２に導かれたアウト球は遊技機本体１４背面の遊技球回収通路２６に集合し、機外に一旦放出される。
【００１６】
遊技機本体１４の前面には扉枠６１が配設されている。図１及び図２に示すように、扉枠６１は遊技機本体１４の正面から見た外郭と略一致した長方形形状の外郭の正面形状を有している。扉枠６１は遊技機本体１４に対して開閉可能に取り付けられている。扉枠６１は遊技機本体１４と同様前記開閉金具１５の開閉軸線Ｐと同軸に取り付けられた開閉金具５４を軸心として前方側に開放可能とされている。そのため、遊技機本体１４は外枠１２に対して開閉可能とされるとともに、扉枠６１は外枠１２と遊技機本体１４のそれぞれに対して独立して開閉可能とされている。
図２に示すように、扉枠６１には開閉軸線Ｐ側とは逆側の側縁に上下方向に間隔を開けて３箇所にラッチ機構Ｌ２が配設されている。ラッチ機構Ｌ２は前面扉６１が遊技機本体１４に対して閉塞された際に遊技機本体１４側の挿入溝Ｄ２に挿入されて係合しロック状態とされる。ロック状態の解除は遊技機本体１４背面側からの図示しない解除装置の操作によって行われる。
【００１７】
図２、図４及び図５に示すように、扉枠６１はＡＢＳ樹脂製のパネル体から構成されるベースプレート６３を有している。ベースプレート６３の周囲四方には図示しない補強用の金属フレームが配設されている。ベースプレート６３には遊技者が遊技面２７ａを目視するための窓部としての目視用窓孔６２が形成されている。目視用窓孔６２は略楕円形状に形成され、扉枠６１が遊技機本体１４に対して閉鎖された状態で同遊技機本体１４側の窓孔２９と対峙する。図５に示すように、ベースプレート６３の背面側には目視用窓孔６２を塞ぐようにガラスユニット７５が配設されている。ガラスユニット７５については後述する。目視用窓孔６２の周囲のベース面６３ａ上には所定の位置（本実施の形態では３箇所）にガラスユニット７５固定用のクランプレバー５８が配設されている。ベースプレート６３の背面側であって目視用窓孔６２の上部には横長の収容部５９が形成されている。収容部５９内にはクランプユニット６０が吊り下げ支持されている。
【００１８】
目視用窓孔６２の下部領域にはいくつかの連通口が形成されている。図４において目視用窓孔６２の下部右方には前記上部パチンコ球流入路２１から流入するパチンコ球の扉枠６１前面側への流出口となる主流出口６５が形成されている。図４において目視用窓孔６２の下部中央には前記下部パチンコ球流入路２２から流入するパチンコ球の扉枠６１前面側への流出口となる下皿用流出口６６が形成されている。図４において目視用窓孔６２の下部左方には前記送球部１９と連通されて発射用のパチンコ球を流下させる発射球流下口６７が形成されている。
【００１９】
図４及び図１０に示すようにベースプレート６３の背面には透明体ユニットとしてのガラスユニット７５が配設されている。ガラスユニット７５は、モールド成形によって一体的に製造されたＡＢＳ樹脂製のガラスフレーム７６を備えている。ガラスフレーム７６には前後二枚の透明板体としてのガラス板７７，７８が所定間隔を開けて平行に装着されている。ガラスフレーム７６は楕円環状の外形形状を有し、細枠部７９と細枠部７９の一部が外方に拡張された膨出部８０とから基本形状が構成されている。膨出部８０の表面側（図１０で示される面）には凹部８１が形成されている。凹部８１内においてリブ８２で区画された収容領域Ｓには乾燥剤８３が収容されている。ガラスフレーム７６側方には上下位置にはブラケット８６が形成されている。ガラスフレーム７６はブラケット８６によって開閉可能にベース面６３ａ上に取り付けられてるとともにクランプユニット６０及びクランプレバー５８によって目視用窓孔６２位置に配置される。
【００２０】
図１、図５〜図７及び図１１に示すように、ベースプレート６３の前面側には４つの化粧パネル９５ａ〜９５ｄと上受け皿パネルユニット９６及び下受け皿パネルユニット９７が配設されている。目視用窓孔６２の左右及び上方に配置されたカバーパネルとしての化粧パネル９５ａ〜９５ｃ内には装飾ランプとしてのＬＥＤユニット９４が配設されている。これらパネル９５ａ〜９５ｄ、９６、９７は振動減衰材料としてのゴムスポンジからなるシート体９３を介してベースプレート６３の前面に固着されている。
化粧パネル９５ａ〜９５ｄはいずれも型抜きで成形された成形品であって、上方中央位置に配置された化粧パネル９５ａはアクリル樹脂を原料として一体成形されており、厚みは４．０ｍｍとされ重量は３３３ｇとされている。上方左右位置に配置された略対称形状の化粧パネル９５ｂ，９５ｃはポリブチレンテレフタレート（ＰＢＴ）を原料として一体成形されており、厚みは共に３．２ｍｍとされ重量は共に１２５ｇとされている。正面視において上受け皿パネル９６に隣接した左方位置に配置された化粧パネル９５ｄはポリカーボネートを原料として一体成形されており、厚みは３．２ｍｍとされ重量は１３４ｇとされている。
図７、図９及び図１１に示すように、上方左右位置に配置された化粧パネル９５ｂ，９５ｃの背面側であって上部側方位置にはそれぞれエキサイタを使用したスピーカ装置の一部をなす振動子ユニット９９が配設されている（図９は遊技者側から見て右側の化粧パネル９５ｃを示す）。エキサイタは磁気回路と駆動コイル及び超磁歪素子から構成され、本実施例では振動子ユニット９９は図示しない音声ランプ制御装置から出力される音声電流に基づいて駆動されるものとする。
【００２１】
目視用窓孔６２の下方位置にはカバーパネルとしての上受け皿パネルユニット９６及び下受け皿パネルユニット９７が配設されている。図６〜図８に示すように、両ユニット９６，９７は複数の小パネルが前後方向に組み合わされて構成されている。
図８に示すように、上受け皿パネルユニット９６は上部背面パネル１００とその前方に配置される上受け皿化粧パネル１０１と両パネル１００，１０１間に配置される上受け皿パネル１０２によって基本的な骨格が形成されている。上部背面パネル１００はベースプレート６３の前面に固着される上受け皿パネルユニット９６のベース部分であり、前記主流出口６５に接続される導入通路１０５が形成されている。上受け皿化粧パネル１０１は上受け皿パネルユニット９６を構成する部材中で最も大きなパネルであって、前方に大きく膨出したフォルムを有する。図８及び図１１に示すように上受け皿化粧パネル１０１の底板１０１ａの上面位置には振動子ユニット９９が配設されている。
上受け皿化粧パネル１０１の左右方向中央位置にはモニター画面を変更させるための操作ボタンを有するモニター表示変更ユニット１０４が配設されている。遊技者側から見て上受け皿化粧パネル１０１の右方位置には証紙確認用の透孔が形成され、透孔内には小窓ユニット１０７が配設されている。上受け皿化粧パネル１０１の前面であって小窓ユニット１０７周辺には補助化粧パネル１０８が配設されている。補助化粧パネル１０８は化粧パネル９５ａ〜９５ｄと同じ表面装飾とされており、化粧パネル９５ａ〜９５ｄとのデザイン的な統一が図られている。また、遊技者側から見て上受け皿化粧パネル１０１の左方位置には灰皿用背パネル１０９が配設され、灰皿用背パネル１０９に隣接する位置には補助化粧パネル１１０が配設されている。
上受け皿パネル１０２は上部背面パネル１００との間で構成される所定の容積を有する貯留部１１１を備えている。前記導入通路１０５から導入されるパチンコ球は貯留部１１１内に導かれる。上受け皿パネル１０２の上部位置にはカード操作用のボタン等を備えたＣＲユニット１１３が配設されている。また、貯留部１１１内のパチンコ球をバイパス通路１０６方向に流下させるためのパチンコ球流下レバー１１４が併設されている。バイパス通路１０６出口位置には通路部材１１２が配設されている。
【００２２】
図８に示すように、下受け皿パネルユニット９７は下部背面パネル１１５とその前方に配置される下受け皿化粧パネル１１６と両パネル１１５，１１６間に配置される下受け皿パネル１１７によって基本的な骨格が形成されている。
下部背面パネル１１５はベースプレート６３の前面に固着される下受け皿パネルユニット９７のベース部分であり、前記下皿用流出口６６内に侵出される導入通路１１８が形成されている。導入通路１１８の側方には前記通路部材１１２と連通する小通路１２２が形成されている。下受け皿化粧パネル１１６は下受け皿パネルユニット９７を構成する部材中で最も大きなパネルであって、前方に大きく膨出したフォルムを有する。下受け皿化粧パネル１１６は底板１１６ａを備えている。下受け皿パネル１１７は底板１１６ａ上にシャッタユニット１１９を配設した状態で載置されている。下受け皿パネル１１７の底板部には透孔１１７ａが形成されており、シャッタユニット１１９を操作する（レバーを動かしてシャッタを開放する）ことで下受け皿パネル１１７内のパチンコ球を排出することが可能となっている。遊技者側から見て下受け皿化粧パネル１１６の左方位置には灰皿１２０が配設されている。灰皿１２０は下受け皿化粧パネル１１６の裏面側から支持金具１２１によって支持されている。
下受け皿パネルユニット９７の下部背面パネル１１５に隣接する位置にはハンドル用背面パネル１２３がベースプレート６３の前面に固着されている。同パネル１２３の前面には発射ユニット１７と連動するパチンコ球打ち出し用ハンドル１２４が突設されている。
【００２３】
上受け皿パネルユニット９６を構成する骨格部材（上部背面パネル１００、上受け皿化粧パネル１０１及び上受け皿パネル１０２）はＡＢＳ樹脂を原料として成形されており、厚みはそれぞれ２．０ｍｍとされている。このうち上受け皿化粧パネル１０１の重量は４６８ｇとされている。
下受け皿パネル９７を構成する骨格部材（下部背面パネル１１５、下受け皿化粧パネル１１６及び下受け皿パネル１１７）もＡＢＳ樹脂を原料として成形されており、厚みはそれぞれ２．０ｍｍとされている。
【００２４】
次に遊技盤２７の背面構成について図２に基づいて説明する。
遊技機本体１４（遊技盤２７）の背面には各種制御装置が重複状に配置されている。制御装置は大きく３つにユニット化されており、タンク２２０や遊技球を供給するための遊技球供給装置２２１、保護カバー２２３等を備えた第１ユニット２２４、払出制御装置、発射制御装置及び電源装置を備えた第２ユニット２２６から構成されている。
【００２５】
上記のような振動子ユニット９９を備えたパチンコ遊技機１１では、振動子ユニット９９が駆動されると次のような作用が生じる。
まず、音声電流が振動子ユニット９９に流れると、エキサイタの駆動コイルがその電流の強弱に従って励磁され素子を振動させる。この振動に伴って化粧パネル９５ｂ，９５ｃの及び受け皿パネルユニット９６の上受け皿化粧パネル１０１がそれぞれ独自に振動し、それぞれのパネル９５ｂ，９５ｃ，１０１前面の空気に粗密層を励振させ音を発生させることとなる。４つの化粧パネル９５ａ〜９５ｄと上受け皿パネルユニット９６及び下受け皿パネルユニット９７はシート体９３を介してベースプレート６３の前面に固着されているため、振動はベースプレート６３側には伝わりにくい。本実施例では上側左右にそれぞれ一箇所ずつと、それらの下方位置に一箇所の計３箇所に振動子ユニット９９を配置していわゆる３チャンネルのステレオ効果を与えることができることとなる。例えば、左右の化粧パネル９５ｂ，９５ｃには左右それぞれの方向から音声が分かれて聞こえるような左右ステレオ効果を与えるとともに、下方の上受け皿化粧パネル１０１からはそれらの音を混合したモノラル音声を出すようにしたり、あるいは左右の化粧パネル９５ｂ，９５ｃに左右ステレオ効果を与えるとともに、下方の上受け皿化粧パネル１０１からはそれらの音とは別の音、例えばごく低音の効果音を出すようにすることが可能である。更に、これに幕板１３の振動子ユニット９９を加えて計４チャンネルのステレオ効果を与えることができることとなる。
ここに、振動媒体としての化粧パネル９５ｂ，９５ｃと上受け皿化粧パネル１０１では材質や大きさが異なるため、例え同じ音源であっても音圧レベルや音質は異なる。振動媒体における音圧レベルや音質を決定する要因としては、硬度、比重、形状、質量等が挙げられる。
プラスチックの硬さは試料の組成、加硫の条件や寸法、形状等も測定値に影響するため一義的ではないが、本実施例で使用しているプラスチックの硬さ順位は概ね下記の通りである。
ＡＢＳ樹脂＜ＰＢＴ＜ポリカーボネート＜アクリル樹脂
また、本実施例で使用しているプラスチックの比重は以下の通りである。
ＡＢＳ樹脂      ：１．０５〜１．０７
ＰＢＴ          ：１．３〜１．５
ポリカーボネート：１．２程度
アクリル樹脂    ：１．２程度
さて、化粧パネル９５ｂ，９５ｃと上受け皿化粧パネル１０１とを比較すると、その材質は化粧パネル９５ｂ，９５ｃの方が比重が大きく、また硬度も高い。更に、厚みも化粧パネル９５ｂ，９５ｃの方が厚い。一方質量は化粧パネル９５ｂ，９５ｃの方が上受け皿化粧パネル１０１よりも小さい。つまり化粧パネル９５ｂ，９５ｃが厚さのある小さな硬い物体というイメージであるのに対し、上受け皿化粧パネル１０１は大きいが見た目ほど重くはなく、更にそれほど硬くはない物体というイメージである。従って、化粧パネル９５ｂ，９５ｃからは比較的高音を再生させることがより音質のよい効果音を再生させるという趣旨から好ましい。高音の方が周波数が高いため、厚さのある小さな硬い物体の方が励振に対する応答性がよく、粗密層の密度を高くする（つまり周波数を高くする）ことが可能だからである。
一方、その逆である上受け皿化粧パネル１０１からは相対的に低音を再生させることが好ましい。また、比較的指向性の高い高音は耳に近い位置で再生させることが好ましく、その点でも遊技者の頭部近くに配置される化粧パネル９５ｂ，９５ｃ側に高音の音源に基づいて高音を再生させるような設定をすることが好ましい。
【００２６】
このように構成されたパチンコ遊技機１１では、次のような効果が奏される。
（１）従来のようなコーン式のスピーカ装置ではなくエキサイタを使用した振動子ユニット９９を使用し、それら振動子ユニット９９が装着される化粧パネル９５ｂ，９５ｃ及び上受け皿化粧パネル１０１全体をスピーカ装置としたため、化粧パネル９５ｂ，９５ｃ及び上受け皿化粧パネル１０１がそれぞれ振動することとなって大きな放射面積が得られ遊技機としての十分な音圧レベルの効果音を発することが可能となる。そのため、騒音の多い環境で使用される遊技機として十分な音量や音質を得ることができる。また、本実施例では３つの異なる種類の効果音、つまり３チャンネルの音を極めて分離性能よく再生させることができるので、遊技における臨場感が非常に高まる。
（２）化粧パネル９５ｂ，９５ｃ及び上受け皿化粧パネル１０１毎にそれぞれ振動子ユニット９９が配設されているため、遊技者に非常に近い位置で音を再生することとなって非常に高い音圧レベルの効果音を遊技者に聴かせることとなって、臨場感が高まる。
（３）化粧パネル９５ｂ，９５ｃは上受け皿化粧パネル１０１に対して硬度が高く、厚いため高音を再生するのに適しており、ちょうど化粧パネル９５ｂ，９５ｃは遊技者の顔の辺りに配置されるため指向性のある高音の再生に適している。一方、低音は相対的に硬度が低く薄い上受け皿化粧パネル１０１から再生させるのが適しており、更に低音は指向性が小さいため遊技者の体全体で低音を実感させるためにはちょうど遊技者の体の中心辺りに配置された上受け皿化粧パネル１０１で再生させることが適している。
（４）ベースプレート６３には化粧パネル９５ｂ，９５ｃ及び上受け皿化粧パネル１０１の振動が伝達されにくくなっているため、これら化粧パネル９５ｂ，９５ｃ及び上受け皿化粧パネル１０１からの直接的な振動の伝達を受けて（共振することはありうる）ベースプレート６３よりも背後の部材がいわゆるびびるというようなことがない。
（５）本実施例では３箇所の化粧パネル９５ｂ，９５ｃ，１０１に加えて外枠１２のベースプレートとなる幕板１３に振動子ユニット９９を配設したため計４箇所の異なる位置から効果音を発生させることが可能となり、非常に音声効果の高いパチンコ遊技機を提供することができる。
【００２７】
本発明は以下のような態様に変更して実施することが可能である。
・上記ではプラスチック材料として熱可塑性プラスチックを使用したが、熱硬化性プラスチックを使用することも可能である。その場合一般に熱硬化性プラスチックは硬度が熱可塑性プラスチックよりも硬度が高くなる傾向であるため、高音の効果音を再生させるのに適している。つまり、なるべく上方位置の部材用に使用することが好ましい。
・上記実施例では化粧パネル９５ｂ，９５ｃと上受け皿化粧パネル１０１に振動子ユニット９９を設けるようにしたが、音圧レベルや音質を変更したり、音源に応じた音質を得るために他のパネルに振動子ユニット９９を取り付けるようにしてもよい。
上記実施例ならば例えば上受け皿パネル９６に隣接した左方位置に配置されたポリカーボネート製の化粧パネル９５ａや化粧パネル９５ｄに追加的に、あるいは化粧パネル９５ｂ，９５ｃや上受け皿化粧パネル１０１に代わって振動子ユニット９９を取り付けることも可能である。
・振動子ユニット（及び使用される振動子）は被振動体（上記では分割プレート７２ａ〜７２ｃ）の材質や大きさに応じて適宜変更可能である。基本的には被振動体に適合した出力の振動子ユニットを使用することが好ましい。
・上記実施例では振動子ユニットとしてエキサイタを使用したが、圧電セラミックを振動子とした振動子ユニットでも構わない。
・上記実施例では振動減衰材料としてゴムスポンジを使用したが、発泡ウレタン等その他の振動減衰材料を使用してもよい。また、クッション体７３等の形状も上記に限定されるものではない。
上記材質は一例であって他のプラスチックに変更することも可能である。
・上記実施の形態のパチンコ遊技機１１以外の機種に応用することも自由である。またパチンコ遊技機以外のスロットマシンやいわゆるパチロットに応用することも可能である。
その他、本発明の趣旨を逸脱しない態様で実施することは自由である。
【符号の説明】
【００２８】
１１…パチンコ遊技機、２７…遊技盤、６１…扉枠、６３…ベースプレート、９５ａ〜９５ｄ…カバーパネルとしての化粧パネル、９６…カバーパネルとしての上受け皿パネルユニット、９７…カバーパネルとしての下受け皿パネルユニット、９９…振動子ユニット。
【図１】
0005955813.tif 000002
【図２】
0005955813.tif 000003
【図３】
0005955813.tif 000004
【図４】
0005955813.tif 000005
【図５】
0005955813.tif 000006
【図６】
0005955813.tif 000007
【図７】
0005955813.tif 000008
【図８】
0005955813.tif 000009
【図９】
0005955813.tif 000010
【図１０】
0005955813.tif 000011
【図１１】
0005955813.tif 000012